(57)【特許請求の範囲】
【請求項１】
出入口扉に設置された錠前装置であって、
前記出入口扉を開放不可能な第１施錠状態、前記出入口扉を開放可能な第１解錠状態、または前記第１施錠状態に移行可能な施錠可能状態となる第１錠前機構部と、
利用者の操作に応じて、前記出入口扉を開放不可能な第２施錠状態、前記出入口扉を開放可能な第２解錠状態、または前記第２解錠状態に移行可能な解錠可能状態となる第２錠前機構部と、
利用者から操作力を受付ける開閉操作部と、を備え、
前記第１錠前機構部は、
前記錠前装置に対向して出入口の壁面に設けられた第１孔部に挿脱可能であって、前記第１孔部から外されて前記出入口扉の内部に保持されることによって前記第１錠前機構部を前記第１解錠状態にし、前記出入口扉の前記第１孔部に対して移動可能な状態にされることによって前記第１錠前機構部を前記施錠可能状態にする第１施解錠部と、
所定条件の場合、前記開閉操作部により受付けた前記操作力を前記第１施解錠部に伝達することで、前記第１施解錠部を前記第１孔部に移動させ、前記第１錠前機構部を前記第１施錠状態にする第１伝達部と、を備え、
前記第２錠前機構部は、前記錠前装置に対向して出入口の壁面に設けられた第２孔部に挿脱可能であって、前記第２孔部に挿入した状態で保持されることによって前記第２錠前機構部を前記第２施錠状態にし、前記出入口扉の前記第２孔部に対して移動可能な状態にされることによって前記第２錠前機構部を前記解錠可能状態にする第２施解錠部を備え、前記開閉操作部により前記操作力を受付けた場合に、前記第２錠前機構部を前記第２解錠状態にすることを特徴とする錠前装置。
【請求項２】
稼働可能な鉄心を有するソレノイドをさらに備え、
前記第１伝達部は、
前記開閉操作部に連結されており、前記第１施解錠部に係合して前記操作力を前記第１施解錠部に伝達することで前記第１施解錠部を前記第１孔部に移動させ、前記第１施解錠部との係合を解除して前記操作力の前記第１施解錠部への伝達を不能にすることで前記第１施解錠部を移動不能にする係合部材と、
一方の端部近傍で前記鉄心に連結されており、前記ソレノイドへの通電に連動して前記係合部材への押圧を解除することで前記係合部材を前記第１施解錠部に係合させ、前記ソレノイドへの非通電に連動して前記係合部材を押圧することで前記係合部材の前記第１施解錠部への係合を解除する押圧部材と、
を備えることを特徴とする請求項１に記載の錠前装置。
【請求項３】
前記第１錠前機構部は、前記出入口扉が設置された監視領域における異常事態の発生の有無を監視する警備装置と接続され、
前記出入口扉付近に設けられ、前記警備装置によって前記監視領域の異常が検知された場合に異常検知情報を通報する警備状態、または前記警備装置によって前記監視領域の異常が検知された場合に前記異常検知情報を通報しない警備解除状態の設定を受付ける操作部と、
前記ソレノイドに対する通電を制御し、前記所定条件として、前記操作部により受付けた前記警備状態または前記警備解除状態の設定に従って、前記ソレノイドを通電または非通電にする制御部と、
を備えることを特徴とする請求項２に記載の錠前装置。
【請求項４】
前記制御部は、前記操作部により前記警備状態の設定を受付けた場合、前記ソレノイドを通電することを特徴とする請求項３に記載の錠前装置。
【請求項５】
前記制御部は、前記操作部により前記警備解除状態の設定を受付けた場合、前記ソレノイドを非通電にすることを特徴とする請求項３に記載の錠前装置。
【請求項６】
前記出入口扉付近に設けられ、利用者に固有の第１利用者識別情報の入力を受付ける操作部と、
前記ソレノイドに対する通電を制御し、前記所定条件として、前記操作部により受付けた前記第１利用者識別情報が、予め定められた前記第１利用者識別情報か否かを照合することにより利用者認証を行い、前記利用者認証の結果に従って、前記ソレノイドを通電または非通電にする制御部と、
を備えることを特徴とする請求項２に記載の錠前装置。
【請求項７】
前記制御部は、前記操作部によって受付けた前記第１利用者識別情報による前記利用者認証が成功しなかった場合、前記ソレノイドを通電することを特徴とする請求項６に記載の錠前装置。
【請求項８】
前記制御部は、前記操作部によって受付けた前記第１利用者識別情報による前記利用者認証が成功した場合、前記ソレノイドを非通電にすることを特徴とする請求項６に記載の錠前装置。
【請求項９】
前記第２錠前機構部は、さらに、前記開閉操作部により受付けた前記操作力を前記第２施解錠部に伝達することで、前記第２施解錠部を前記出入口扉の内部に移動させ、前記第２錠前機構部を前記第２解錠状態にする第２伝達部を備えることを特徴とする請求項６〜８のいずれか一つに記載の錠前装置。
【請求項１０】
前記第２施解錠部は、利用者に固有の第２利用者識別情報による利用者認証に基づいて、前記第２錠前機構部を前記第２施錠状態または前記解錠可能状態にすることを特徴とする請求項９に記載の錠前装置。
【請求項１１】
前記第１利用者識別情報と前記第２利用者識別情報とが異なっていることを特徴とする請求項１０に記載の錠前装置。
【請求項１２】
前記第１利用者識別情報と前記第２利用者識別情報とが同一であることを特徴とする請求項１０に記載の錠前装置。
【請求項１３】
前記出入口扉の施錠操作または解錠操作ができるように見せかける模造操作部を備えることを特徴とする１〜１２のいずれか一つに記載の錠前装置。
【請求項１４】
出入口扉に設置された錠前装置で実行される施解錠方法であって、
前記錠前装置は、
前記出入口扉を開放不可能な第１施錠状態、前記出入口扉を開放可能な第１解錠状態、または前記第１施錠状態に移行可能な施錠可能状態となる第１錠前機構部と、
利用者の操作に応じて、前記出入口扉を開放不可能な第２施錠状態、前記出入口扉を開放可能な第２解錠状態、または前記第２解錠状態に移行可能な解錠可能状態となる第２錠前機構部と、
利用者から操作力を受付ける開閉操作部と、を備え、
第１施解錠部により、前記錠前装置に対向して出入口の壁面に設けられた第１孔部に挿脱可能であって、前記第１孔部から外されて前記出入口扉の内部に保持されることによって前記第１錠前機構部を前記第１解錠状態にし、前記出入口扉の前記第１孔部に対して移動可能な状態にされることによって前記第１錠前機構部を前記施錠可能状態にする第１施解錠工程と、
第１伝達部により、所定条件の場合、前記開閉操作部により受付けた前記操作力を前記第１施解錠部に伝達することで、前記第１施解錠部を前記第１孔部に移動させ、前記第１錠前機構部を前記第１施錠状態にする第１伝達工程と、
第２施解錠部により、前記錠前装置に対向して出入口の壁面に設けられた第２孔部に挿脱可能であって、前記第２孔部に挿入した状態で保持されることによって前記第２錠前機構部を前記第２施錠状態にし、前記出入口扉の前記第２孔部に対して移動可能な状態にされることによって前記第２錠前機構部を前記解錠可能状態にする第２施解錠工程と、を含み、
前記第２錠前機構部により、前記開閉操作部により前記操作力を受付けた場合に、前記第２錠前機構部を前記第２解錠状態にすることを特徴とする施解錠方法。
【発明の詳細な説明】
【技術分野】
【０００１】
本発明は、出入口扉を施解錠する錠前装置および施解錠方法に関するものであり、特に、不正行為が行われた場合に施錠される第１錠前機構部を備えた錠前装置および施解錠方法に関する。
【背景技術】
【０００２】
近年、不正な侵入を防止する目的で、一つの出入口扉に主錠と補助錠の二つの錠前機構を備えた錠前装置を設置する所謂ワンドアツーロックを実施して、防犯性の向上を図る試みがなされている。すなわち、ワンドアツーロックを実施することで期待できる効果としては、主錠と補助錠とを設置することにより、各種非破壊不正解錠手段（ピッキング、サムターン回し等）における作業の手間・所要時間を２倍程度にすること、出入口扉や錠前装置の破壊を伴う不正開放手段（こじ開け、錠破り等）を物理的に困難にすること、及び、補助錠を設置することにより、不正解錠が困難であることに加えて、居住者の防犯意識が高いことを不正侵入者に感じさせて犯意を失わせるとともに、犯行に至らなくさせることが挙げられる。
【０００３】
従って、従来から、一つの出入口扉に主錠と補助錠の二つの錠前機構を備えた錠前装置が一般的に利用されている。例えば、室外側から施錠するときは一方のシリンダ錠を施錠すれば他のシリンダ錠も自動的に施錠できるが、解錠するときには夫々別個に解錠するようにした施錠装置が開示されている（例えば、特許文献１参照）。また、二つの電気錠のうち一方の電気錠を施錠した場合には、これと連動して他方の電気錠が施錠されるが、一方の電気錠を解錠した場合には、他方の電気錠はこの操作と連動せず施錠状態を維持する電気錠装置が開示されている（例えば、特許文献２参照）。
【０００４】
【特許文献１】特開２００５−３１５０４７号公報
【特許文献２】特開２００２−１８０７１２号公報
【発明の開示】
【発明が解決しようとする課題】
【０００５】
しかしながら、従来技術のように、出入口扉に二つの錠前機構を備えた錠前装置を設置した場合、不正侵入者による錠前装置の解錠が困難となるが、正規の利用者が入退館する際にも、二つの錠前機構それぞれに対する施解錠操作が必要となる。また、上記特許文献１および特許文献２の技術では、出入口扉の施錠を行う場合は一回の施錠操作で二つの錠前機構を施錠することが可能となるが、出入口扉の解錠を行う際には、二つの錠前機構を備えた錠前装置を解錠するための二回の解錠操作が必要になる。このため、出入口扉に単独の錠前機構を備えた錠前装置を設置している場合と比較すると解錠操作が二段階となるため、正規の利用者による操作が煩雑となり利便性が低下するという問題があった。
【０００６】
本発明は、上記に鑑みてなされたものであって、二つ目の錠前機構として設置する補助錠の本質的機能が不正解錠を防止するためであることに着目し、通常時には解錠状態であって、不正解錠などの不正行為が行われた場合に施解錠部（第１施解錠部）を解錠状態から施錠状態にし、正常な解錠が行われた場合は施解錠部を解錠状態に維持することで、正規の利用者には一回の施解錠操作で出入口扉の施解錠を可能にして煩雑な施解錠操作を強要せず利便性を向上させるとともに、不正侵入者には解錠操作を困難にして防犯性を向上できる錠前装置および施解錠方法を提供することを目的とする。
【課題を解決するための手段】
【０００７】
上述した課題を解決し、目的を達成するために、請求項１にかかる発明は、出入口扉に設置された錠前装置であって、前記出入口扉を開放不可能な第１施錠状態、前記出入口扉を開放可能な第１解錠状態、または前記第１施錠状態に移行可能な施錠可能状態となる第１錠前機構部と、利用者の操作に応じて、前記出入口扉を開放不可能な第２施錠状態、前記出入口扉を開放可能な第２解錠状態、または前記第２解錠状態に移行可能な解錠可能状態となる第２錠前機構部と、利用者から操作力を受付ける開閉操作部と、を備え、前記第１錠前機構部は、前記錠前装置に対向して出入口の壁面に設けられた第１孔部に挿脱可能であって、前記第１孔部から外されて前記出入口扉の内部に保持されることによって前記第１錠前機構部を前記第１解錠状態にし、前記出入口扉の前記第１孔部に対して移動可能な状態にされることによって前記第１錠前機構部を前記施錠可能状態にする第１施解錠部と、所定条件の場合、前記開閉操作部により受付けた前記操作力を前記第１施解錠部に伝達することで、前記第１施解錠部を前記第１孔部に移動させ、前記第１錠前機構部を前記第１施錠状態にする第１伝達部と、を備え、前記第２錠前機構部は、前記錠前装置に対向して出入口の壁面に設けられた第２孔部に挿脱可能であって、前記第２孔部に挿入した状態で保持されることによって前記第２錠前機構部を前記第２施錠状態にし、前記出入口扉の前記第２孔部に対して移動可能な状態にされることによって前記第２錠前機構部を前記解錠可能状態にする第２施解錠部を備え、前記開閉操作部により前記操作力を受付けた場合に、前記第２錠前機構部を前記第２解錠状態にすることを特徴とする。
【０００８】
また、請求項２にかかる発明は、請求項１に記載の錠前装置において、稼働可能な鉄心を有するソレノイドをさらに備え、前記第１伝達部は、前記開閉操作部に連結されており、前記第１施解錠部に係合して前記操作力を前記第１施解錠部に伝達することで前記第１施解錠部を前記第１孔部に移動させ、前記第１施解錠部との係合を解除して前記操作力の前記第１施解錠部への伝達を不能にすることで前記第１施解錠部を移動不能にする係合部材と、一方の端部近傍で前記鉄心に連結されており、前記ソレノイドへの通電に連動して前記係合部材への押圧を解除することで前記係合部材を前記第１施解錠部に係合させ、前記ソレノイドへの非通電に連動して前記係合部材を押圧することで前記係合部材の前記第１施解錠部への係合を解除する押圧部材と、を備えることを特徴とする。
【０００９】
また、請求項３にかかる発明は、請求項２に記載の錠前装置において、前記第１錠前機構部は、前記出入口扉が設置された監視領域における異常事態の発生の有無を監視する警備装置と接続され、前記出入口扉付近に設けられ、前記警備装置によって前記監視領域の異常が検知された場合に異常検知情報を通報する警備状態、または前記警備装置によって前記監視領域の異常が検知された場合に前記異常検知情報を通報しない警備解除状態の設定を受付ける操作部と、前記ソレノイドに対する通電を制御し、前記所定条件として、前記操作部により受付けた前記警備状態または前記警備解除状態の設定に従って、前記ソレノイドを通電または非通電にする制御部と、を備えることを特徴とする。
【００１０】
また、請求項４にかかる発明は、請求項３に記載の錠前装置において、前記制御部は、前記操作部により前記警備状態の設定を受付けた場合、前記ソレノイドを通電することを特徴とする。
【００１１】
また、請求項５にかかる発明は、請求項３に記載の錠前装置において、前記制御部は、前記操作部により前記警備解除状態の設定を受付けた場合、前記ソレノイドを非通電にすることを特徴とする。
【００１２】
また、請求項６にかかる発明は、請求項２に記載の錠前装置において、前記出入口扉付近に設けられ、利用者に固有の第１利用者識別情報の入力を受付ける操作部と、前記ソレノイドに対する通電を制御し、前記所定条件として、前記操作部により受付けた前記第１利用者識別情報が、予め定められた前記第１利用者識別情報か否かを照合することにより利用者認証を行い、前記利用者認証の結果に従って、前記ソレノイドを通電または非通電にする制御部と、を備えることを特徴とする。
【００１３】
また、請求項７にかかる発明は、請求項６に記載の錠前装置において、前記制御部は、前記操作部によって受付けた前記第１利用者識別情報による前記利用者認証が成功しなかった場合、前記ソレノイドを通電することを特徴とする。
【００１４】
また、請求項８にかかる発明は、請求項６に記載の錠前装置において、前記制御部は、前記操作部によって受付けた前記第１利用者識別情報による前記利用者認証が成功した場合、前記ソレノイドを非通電にすることを特徴とする。
【００１５】
また、請求項９にかかる発明は、請求項６〜８のいずれか一つに記載の錠前装置において、前記第２錠前機構部は、さらに、前記開閉操作部により受付けた前記操作力を前記第２施解錠部に伝達することで、前記第２施解錠部を前記出入口扉の内部に移動させ、前記第２錠前機構部を前記第２解錠状態にする第２伝達部を備えることを特徴とする。
【００１６】
また、請求項１０にかかる発明は、請求項９に記載の錠前装置において、前記第２施解錠部は、利用者に固有の第２利用者識別情報による利用者認証に基づいて、前記第２錠前機構部を前記第２施錠状態または前記解錠可能状態にすることを特徴とする。
【００１７】
また、請求項１１にかかる発明は、請求項１０に記載の錠前装置において、前記第１利用者識別情報と前記第２利用者識別情報とが異なっていることを特徴とする。
【００１８】
また、請求項１２にかかる発明は、請求項１０に記載の錠前装置において、前記第１利用者識別情報と前記第２利用者識別情報とが同一であることを特徴とする。
【００１９】
また、請求項１３にかかる発明は、請求項１〜１２のいずれか一つに記載の錠前装置において、前記出入口扉の施錠操作または解錠操作ができるように見せかける模造操作部を備えることを特徴とする。
【００２０】
また、請求項１４にかかる発明は、出入口扉に設置された錠前装置で実行される施解錠方法であって、前記錠前装置は、前記出入口扉を開放不可能な第１施錠状態、前記出入口扉を開放可能な第１解錠状態、または前記第１施錠状態に移行可能な施錠可能状態となる第１錠前機構部と、利用者の操作に応じて、前記出入口扉を開放不可能な第２施錠状態、前記出入口扉を開放可能な第２解錠状態、または前記第２解錠状態に移行可能な解錠可能状態となる第２錠前機構部と、利用者から操作力を受付ける開閉操作部と、を備え、第１施解錠部により、前記錠前装置に対向して出入口の壁面に設けられた第１孔部に挿脱可能であって、前記第１孔部から外されて前記出入口扉の内部に保持されることによって前記第１錠前機構部を前記第１解錠状態にし、前記出入口扉の前記第１孔部に対して移動可能な状態にされることによって前記第１錠前機構部を前記施錠可能状態にする第１施解錠工程と、第１伝達部により、所定条件の場合、前記開閉操作部により受付けた前記操作力を前記第１施解錠部に伝達することで、前記第１施解錠部を前記第１孔部に移動させ、前記第１錠前機構部を前記第１施錠状態にする第１伝達工程と、第２施解錠部により、前記錠前装置に対向して出入口の壁面に設けられた第２孔部に挿脱可能であって、前記第２孔部に挿入した状態で保持されることによって前記第２錠前機構部を前記第２施錠状態にし、前記出入口扉の前記第２孔部に対して移動可能な状態にされることによって前記第２錠前機構部を前記解錠可能状態にする第２施解錠工程と、を含み、前記第２錠前機構部により、前記開閉操作部により前記操作力を受付けた場合に、前記第２錠前機構部を前記第２解錠状態にすることを特徴とする。
【発明の効果】
【００２１】
本発明によれば、通常時には解錠状態であって、不正解錠などの不正行為が行われた場合に施解錠部を解錠状態から施錠状態にし、正常な解錠が行われた場合は施解錠部を解錠状態に維持することで、正規の利用者には一回の施解錠操作で出入口扉の施解錠を可能にして煩雑な施解錠操作を強要せず利便性を向上させるとともに、不正侵入者には解錠操作を困難にして防犯性を向上できるという効果を奏する。
【００２２】
また、本発明によれば、第１錠前機構は、警備装置における警備状態または警備解除状態の設定に従って第１施解錠部を移動させて施解錠が行われるため、警備サービスを提供する警備会社等が第１錠前機構の鍵を受領することが不要となり、鍵の管理負担や警備サービスの運用負担を低減することができるという効果を奏する。
【発明を実施するための最良の形態】
【００２３】
以下に添付図面を参照して、この発明にかかる錠前装置および施解錠方法の最良な実施の形態を詳細に説明する。以下の実施の形態においては、鍵を所持していない非関係者の入館（入室）を制限する目的で使用される主錠と、不正解錠・開放を困難にして不正侵入者の不正入館を抑止・防止する目的で使用される補助錠という２つの錠前機構を備えた錠前装置に本発明を適用した例である。すなわち、錠前装置を出入口扉に設置し、補助錠に本発明の第１錠前機構を、主錠に本発明の第２錠前機構を適用したものである。但し、これに限定されるものではなく、複数の錠を備えた錠前装置であれば、複数の錠のうち第１の錠を第１錠前機構、第２の錠を第２錠前機構として本発明を適用することができる。
【００２４】
（実施の形態１）
本実施の形態にかかる補助錠は、通常時は解錠状態となっており、警備装置の警備設定に連動して施解錠が行われる。このため、補助錠は、正規の利用者の入退館において別個に施解錠操作が不要な錠前機構であって、不正侵入者により主錠に対して不正行為が行われた場合や正規の利用者が警備の解除を失念した場合に、解錠状態から施錠状態へ移行して不正侵入者による侵入を防止したり、正当の利用者に警備の解除を促すものである。
【００２５】
まず、主錠と補助錠の役割の違いについて説明する。上述したように、主錠は鍵を所持していない非関係者の入館（入室）を制限する目的で使用される。すなわち、主錠は、出入口扉を施錠しておくことで、善良な第三者に対して関係者以外は入室禁止である旨を伝えることができればよい。それに対して、補助錠は不正解錠・開放を困難にすることで、不正侵入者の不正入館を抑止・防止する目的で使用されることが本質的な機能である。
【００２６】
つまり、補助錠を設置する目的は以下の効果を期待したものである。第１に、主錠と併せることで、各種非破壊不正解錠手段（ピッキング、サムターン回し等）における作業の手間・所要時間を２倍程度にする。第２に、出入口扉や錠前装置の破壊を伴う不正開放手段（こじ開け、錠破り等）を物理的に困難にする。第３に、補助錠の設置により、不正解錠が困難であることに加えて、居住者の防犯意識が高いことを不正侵入者に感じさせて犯意を失わせるとともに犯行に至らなくするよう促す。すなわち、鍵を持っていない者を入館出来なくするだけであれば、主錠のみで充分であるが、不正解錠・開放を防止・抑制するためには、補助錠を設置することが有効である。
【００２７】
ここで、犯行の頻度として、非破壊不正解錠手段（ピッキング、サムターン回し等）は、扉や錠前の破壊を伴う不正開放手段（こじ開け、錠破り等）に対して、圧倒的多数である。このため、本実施の形態の補助錠では、主に不正解錠手段を防止することを目的として、正規の利用者が入館する際には解錠状態であり、不正解錠が試みられた場合や警備の解除を失念した場合に、解錠状態から施錠状態にする。以下に本実施の形態の補助錠について説明する。
【００２８】
図１は、実施の形態１にかかる錠前装置を設置した出入口扉の全体を示す図である。図１では、出入口扉４を部屋の外部から見た正面図である。出入口扉４には、上側に主錠２Ａが配置され、下側には補助錠２Ｂが配置された錠前機構１００が設置されている。この出入口扉４の外部側には、主錠２Ａにおけるデッドロッキングラッチボルト１０を移動させて施解錠するために、利用者が鍵を挿入して回動操作するシリンダ３０ａと、回動操作されて利用者からの操作力を受付けるレバーハンドル７０ａが設けられている。
【００２９】
図２は、実施の形態１にかかる錠前装置の構成を示す説明図である。図２に示すように、本実施の形態にかかる錠前装置１００は、出入口扉に設置されたフロント１および錠前機構２とから主に構成されており、錠前機構２における上側が主錠２Ａ（第２錠前機構部）、下側が補助錠２Ｂ（第１錠前機構部）となっている。
【００３０】
主錠２Ａは、制御部５１０と、外部給電部５２０と、操作部５０１とを備えており、補助錠２Ｂは、制御部５１１と、外部給電部５２１と、操作部５０２とを備えている。そして、操作部５０１および操作部５０２は、監視領域に設けられている警備装置５００に接続されている。なお、フロント１と錠前機構２の詳細は後述する。
【００３１】
警備装置５００は、出入口扉が設置されている監視領域を監視（警備）するものであり、監視領域において異常が発生した場合は、通報先である監視センタへ異常を検知した旨の異常検知情報の通報をするものである。そして、監視センタは、監視領域の警備装置から異常検知情報の通報を受信すると、待機中の警備員に対して異常が検知された監視領域へ向かう旨の指示を出すとともに、必要に応じて警察や消防など関係機関への通報を行うことになる。なお、本実施の形態では、錠前装置１００は警備装置５００と有線で接続されているが、無線通信により接続された構成としてもよい。
【００３２】
次に、主錠２Ａにおける操作部５０１と、制御部５１０と、外部給電部５２０とについて説明する。
【００３３】
操作部５０１は、出入口扉付近の監視領域外に設置され、警備員等の利用者に固有の利用者ＩＤ（第２利用者識別情報）の入力を受付けるものであり、例えばテンキーや、接触式または非接触式のカードリーダ、タッチパネル、指紋や虹彩や静脈等の生体情報読取装置等、利用者が特定されるものであればよい。操作部５０１は、監視領域の利用者が日常使用するものではなく、監視領域の利用者の不在時に、監視領域に異常が発生した場合に駆けつけた警備員や、監視領域の点検に訪れた警備員が、鍵等を利用せずに主錠２Ａの施解錠を行うための操作に用いられる。
【００３４】
制御部５１０は、ソレノイド９０（後述）に対する通電を制御するものである。すなわち、制御部５１０は、操作部５０１によって受付けた利用者ＩＤが、記憶部（不図示）等に予め定められた利用者ＩＤか否かを照合することによって利用者認証を行い、その利用者認証が成功した場合に、ソレノイド９０を通電し、予め定められた所定の時間が経過したらソレノイド９０を非通電にするものである。また、制御部５１０は、通常時は、監視領域等に供給される電力等を操作部５０１やソレノイド９０等に供給するが、例えば、停電時等により電力が供給できない場合には、外部給電部５２０によって供給された電力を操作部５０１に供給し、操作部５０１から受付けた利用者ＩＤの利用者認証が成功した場合、外部給電部５２０によって供給された電力をソレノイド９０に供給して通電する。
【００３５】
外部給電部５２０は、制御部５１０に対して独立して電力を供給するものであり、例えば、電池等が該当する。停電時等により制御部５１０に汎用の電源からの電力供給をうけられない場合には、制御部５１０には外部給電部５２０からの電力が供給され、これにより停電時にもソレノイド９０に対する通電および非通電の制御が可能となる。
【００３６】
次に、補助錠２Ｂにおける操作部５０２と、制御部５１１と、外部給電部５２１とについて説明する。
【００３７】
操作部５０２は、出入口扉付近の監視領域外に設置され、警備装置５００の警備モードである警備状態または警備解除状態などの設定を受付けるものである。操作部５０１と同様、例えばテンキーや、接触式または非接触式のカードリーダ、タッチパネル、指紋や虹彩や静脈等の生体情報読取装置等、各種警備モードの設定を受付けられればよい。また、操作部５０２は、利用者（警備員等）に固有の利用者ＩＤ（第１利用者識別情報）の入力を受付けるものである。
【００３８】
ここで、警備モードとは、監視領域において異常検知した際の通報先への通報の可否、または監視領域に対する報知の可否などを定めたモードであり、異常を検知したときの警備装置の動作を決定するモードである。警備モードは、通報の可否および通報先、監視領域への報知の有無などによって複数のモードが存在し、代表的な警備モードとしては、警備状態、警備解除状態がある。
【００３９】
警備状態とは、主に利用者（住人）が外出中、警備を必要とする場合に設定する警備モードであり、センサによって異常を検知したときに発せられる検知信号を警備装置が受信した場合に、監視センタに異常を知らせる警報（異常検知情報）を通報する状態である。なお、警備装置の設置されている監視領域において異常を検知したことを報知する場合もある。これは、侵入者を威嚇する目的や誤報である場合に警報解除操作を促す目的で報知するものである。
【００４０】
警備解除状態とは、主に利用者が在宅中、警備を必要としない場合に設定する警備モードであり、センサによって異常を検知したときに発せられる検知信号を警備装置が受信した場合でも、監視センタへの警報（異常検知情報）の通報を行わず、監視領域における異常があるとは判断しない状態である。これは、センサにより異常を検知（人の存在の検知、扉の開閉の検知）されても、在宅中の利用者を検知したものと判断するためである。
【００４１】
制御部５１１は、ソレノイド１９０（後述）に対する通電を制御するものである。すなわち、制御部５１１は、操作部５０２により警備装置５００の警備モードを警備状態にする設定を受付けた場合に、ソレノイド１９０を通電し、警備モードを警備解除状態にする設定を受付けた場合に、ソレノイド１９０を非通電にする。また、制御部５１１は、操作部５０２によって受付けた利用者ＩＤが、記憶部（不図示）等に予め定められた利用者ＩＤか否かを照合することによって利用者認証を行い、その利用者認証が成功した場合に、ソレノイド１９０を非通電にし、利用者認証が成功しなかった場合に、ソレノイド１９０を通電する。また、制御部５１１は、通常時は、監視領域等に供給される電力等を操作部５０２やソレノイド１９０等に供給するが、例えば、停電時等により電力が供給できない場合には、外部給電部５２１によって供給された電力を操作部５０２に供給し、警備状態に設定した場合や利用者ＩＤの利用者認証が成功しなかった場合、外部給電部５２１によって供給された電力をソレノイド１９０に供給して通電する。
【００４２】
外部給電部５２１は、制御部５１１に対して独立して電力を供給するものであり、例えば、電池等が該当する。停電時等により制御部５１１に汎用の電源からの電力供給をうけられない場合には、制御部５１１には外部給電部５２１からの電力が供給され、これにより停電時にもソレノイド１９０に対する通電および非通電の制御が可能となる。
【００４３】
次に、フロント１と錠前機構２の詳細について説明する。図３は、実施の形態１にかかる錠前装置の詳細を示す説明図である。図３に示すように、本実施の形態にかかる錠前装置１００は、フロント１と錠前機構２とにより構成されており、錠前機構２は、上側に主錠２Ａが配置され、下側に補助錠２Ｂが配置されている。
【００４４】
フロント１は、デッドロッキングラッチボルト１０と、トリガーヘッド８５と、デッドボルト１１０とが出入する開口部（不図示）を有し、錠前機構２の側面を覆う板状の金属板である。また、フロント１の上部と下部には、錠前機構２を出入口扉に固定するためのねじ穴（不図示）が設けられている。錠前装置１００を出入口扉に設置した場合は、錠前機構２が出入口扉に埋め込まれ、フロント１が出入口扉の側面に見える状態となる。
【００４５】
まず、錠前機構２における主錠２Ａについて説明する。主錠２Ａは、デッドロッキングラッチボルト１０と、手動操作部３０と、スライダー４０と、ロッキングレバー５０と、コネクティングレバー６０と、ハンドル部７０と、ラッチホールド８０と、トリガーヘッド８５と、ソレノイド９０とを主に備えている。本実施の形態にかかる主錠２Ａにおいては、手動操作部３０を利用者からの操作力により機械的に施解錠を行う機械的施解錠部とし、ソレノイド９０を通電・非通電により電気的に施解錠を行う電気的施解錠部として説明する。なお、ハンドル部７０は、補助錠２Ｂにも共通して備えられている。
【００４６】
デッドロッキングラッチボルト１０は、先端部１２と、軸部１１と、ストッパー１３とによって主に構成されており、出入口の壁面に設けられた孔部（不図示）に挿脱可能となっている。また、デッドロッキングラッチボルト１０は、出入口扉を本締まり施錠状態にするデッドボルトの機能と、出入口扉を空締まり施錠状態にするラッチボルトの機能を兼ねており、上記両施錠、および出入口扉を解錠状態にすることが可能なボルトである。
【００４７】
ここで、主錠の本締まり施錠状態（施錠状態）とは、出入口扉に設けられたレバーハンドル７０ａ（図１参照）を操作しても出入口扉を開放不可能な状態である。すなわち、フロント１の開口部を通過したデッドロッキングラッチボルト１０の先端が、主錠２Ａに対向して出入口の壁面に設けられた孔部（不図示）に挿入され、かつデッドロッキングラッチボルト１０が孔部に保持され移動不能となった状態である。なお、図３の錠前機構２における主錠２Ａは、本締まり施錠状態となっている。
【００４８】
また、主錠の空締まり施錠状態（解錠可能状態）とは、出入口扉が風圧等で開放できないように仮締まりを行うことであり、出入口扉に設けられたレバーハンドル７０ａを操作すると、デッドロッキングラッチボルト１０が移動可能な状態である。すなわち、デッドロッキングラッチボルト１０の先端が、主錠２Ａに対向して出入口の壁面に設けられた孔部（不図示）から、フロント１を通過して抜き出し可能な状態であって、出入口扉に設けられたレバーハンドル７０ａを操作すると、ハンドル部７０（後述）を介して受けた利用者からの操作力によって、デッドロッキングラッチボルト１０が出入口の壁面の孔部からフロント１を通過してから抜き出され、出入口扉を開放できる状態である。
【００４９】
また、主錠の解錠状態とは、出入口扉に設けられたレバーハンドル７０ａを操作した場合であって、出入口扉を押圧するだけで開放可能な状態である。すなわち、レバーハンドル７０ａにより受付けた操作力をデッドロッキングラッチボルト１０に伝達することで、デッドロッキングラッチボルト１０を先端まで出入口扉の内部に移動させ、出入口扉を押圧するだけで開放できる状態である。
【００５０】
デッドロッキングラッチボルト１０の軸部１１は、内部が空洞となっており、上部と下部とが開放された金属性材料で形成されている。また、軸部１１の一方の端面には、先端部１２が接続されており、この先端部１２は、施錠が行われるとフロント１の開口部（不図示）を通過して出入口の壁面の孔部に挿入される部分で、先端が略三角柱形状の金属性材料で形成されている。また、軸部１１の他方の端面には、円柱形状の鉄心１４が軸部１１に対して移動可能に接続されている。鉄心１４は、軸部１１と接続されている端面と反対側の端面が錠前機構２の枠部に固定されており、デッドロッキングラッチボルト１０がＢ方向に移動した場合、軸部１１の内部に挿入されるものである。また、鉄心１４の周囲にはバネ１５が設けられており、デッドロッキングラッチボルト１０は、バネ１５により通常Ｂ方向と逆方向に付勢されている。
【００５１】
また、軸部１１と先端部１２との間にあるストッパー１３は、バネ１５により付勢されてＢ方向と逆方向に移動するデッドロッキングラッチボルト１０を、ラッチホールド８０の係止部８３（後述）に当接することでデッドロッキングラッチボルト１０を係止してその移動を止めるものである。これは、出入口扉が開放された状態から閉鎖される場合において、デッドロッキングラッチボルト１０が出入口の壁面に当接することによる押圧力によってデッドロッキングラッチボルト１０が錠前機構２の内部に挿入されるようにするため、先端部１２の先端の略三角柱形状の部分のみフロント１から突出させた状態にするものである。
【００５２】
手動操作部３０は、出入口扉を本締まり施錠状態から空締まり施錠状態、または空締まり施錠状態から本締まり施錠状態にするために、鍵を挿入して回動操作される監視領域の外部側に設けられたシリンダ３０ａ（図１参照）や、つまみ部分を回動操作される監視領域の内部側に設けられたサムターン（不図示）が設けられている。そして、利用者が手動操作部３０であるシリンダ３０ａまたはサムターンを回動操作すると、そのシリンダ３０ａまたはサムターンの回動に連動して、手動操作部３０の内部に設けられた突部であるサムターンハブ３１が図３におけるＲ１方向またはＲ１方向と逆方向に回動する。ここで、手動操作部３０からの操作力のうち、サムターンハブ３１をＲ１方向へ回動操作する操作力は、出入口扉を本締まり施錠状態から空締まり施錠状態にするものであって、サムターンハブ３１をＲ１方向と逆方向へ回動操作する操作力は、出入口扉を空締まり施錠状態から本締まり施錠状態にするものである。従って、Ｒ１方向は、出入口扉の施錠状態から空締まり施錠状態へのサムターンハブ３１の回動方向となり、Ｒ１方向と逆方向は、出入口扉の空締まり施錠状態から本締まり施錠状態へのサムターンハブ３１の施錠方向への回動方向となる。手動操作部３０は、監視領域の利用者が日常使用するものであって、外出する利用者が外部側のシリンダ３０ａから主錠２Ａの施解錠を行ったり、帰宅した利用者が内部側のサムターンから主錠２Ａの施解錠を行うための操作に用いられる。つまり、上述した操作部５０１からの操作による施解錠より、手動操作部３０からの操作による施解錠の方が、主錠２Ａにおいて主体的に利用される。
【００５３】
スライダー４０は、手動操作部３０の回動に連動して、図３における上方であるＡ方向、または図３における下方であるＡ方向と逆方向に移動するものであって、利用者による手動操作部３０からの操作力をデッドロッキングラッチボルト１０に伝達することによって錠前装置１００を空締まり施錠状態または本締まり施錠状態にする。すなわち、Ａ方向は、機械的解錠に伴うスライダー４０の移動方向であり、Ａ方向と逆方向は、機械的施錠に伴うスライダー４０の移動方向となる。図４−１は、主錠２Ａのスライダーの正面図である。図４−２は、図４−１におけるＶ１側から見たスライダーの側面図である。スライダー４０は、金属性材料で形成されており、図４−１、４−２に示すように略板状で、部位４４でスライダー４０の背面を内側にして略９０度に屈曲し、部位４５でスライダー４０の正面を内側にして略９０度に屈曲した形状となっている。
【００５４】
また、スライダー４０は、図４−１における右側に切欠き部４２が設けられており、この切欠き部４２が手動操作部３０のサムターンハブ３１に当接することにより押圧力を受けてスライダー４０は移動する。具体的には、手動操作部３０のＲ１方向の回動に連動してサムターンハブ３１がＲ１方向に回動すると、サムターンハブ３１が切欠き部４２の傾斜部４２ａに当接して押圧し、スライダー４０は上方に向かって押圧されてＡ方向へ移動する。また、手動操作部３０のＲ１方向と逆方向の回動に連動してサムターンハブ３１がＲ１方向と逆方向に回動すると、サムターンハブ３１が切欠き部４２の傾斜部４２ｂに当接して押圧し、スライダー４０は下方に向かって押圧されてＡ方向と逆方向へ移動する。なお、図３の錠前機構２における主錠２Ａでは、スライダー４０がＡ方向と逆方向へ移動した状態である。
【００５５】
また、スライダー４０は、図４−１に示すように、下部に孔部４１が設けられ、孔部４１にはロッキングレバー５０の突起部５１が貫通しており、スライダー４０がＡ方向に移動することにより孔部４１の内壁面がロッキングレバー５０の突起部５１に当接して押圧することでロッキングレバー５０を移動させる。また、スライダー４０は、トリガーヘッド８５に固定されているコ字状部材８６（後述）に掛止するフック状の掛止部４３が設けられている。また、スライダー４０は、ソレノイド９０への通電および非通電によって移動することはなく、詳細な説明については後述する。
【００５６】
ロッキングレバー５０は、金属材料で形成されている。ロッキングレバー５０は、錠前機構２の枠部に固定された支点５２を軸にしてスライダー４０に連動してＲ２方向または、Ｒ２方向と逆方向に回動する。ロッキングレバー５０は、スライダー４０を介して受けた利用者による手動操作部３０からの操作力をデッドロッキングラッチボルト１０に伝達することによって主錠２Ａを空締まり施錠状態または本締まり施錠状態にする。また、支点５２は、スライダー４０と連結される突起部５１と、ソレノイド９０と連結される連結部５３との間に設けられており、ロッキングレバー５０は、その支点５２の軸の周囲に設けられたバネ（不図示）によって通常Ｒ２方向と逆方向に付勢されている。図５−１は、主錠２Ａのロッキングレバーの正面図である。図５−２は、図５−１におけるＶ２側から見た主錠２Ａのロッキングレバーの側面図である。図５−３は、主錠２Ａのロッキングレバーの上面図である。図５−４は、主錠２Ａのロッキングレバーの底面図である。ロッキングレバー５０は、図５−１で示しているロッキングレバー５０の左側に、上面および両側面に囲まれて下部が開放された空間が形成されている。つまり、図５−２で示す図５−１におけるＶ２側から見たロッキングレバー５０を参照すると、下部が開放されたコの字状の内部に空間が形成されていることになる。
【００５７】
ロッキングレバー５０には、図５−１〜図５−４に示すように、円形の孔部内に円柱部材が差し込まれた突起部５１が形成されており、この突起部５１がスライダー４０の孔部４１を貫通してスライダー４０と連結されている。そして、スライダー４０のＡ方向への移動とともに突起部５１がスライダー４０の孔部４１の内壁面に当接しながらＡ方向に押圧され、その結果、ロッキングレバー５０は、バネによる付勢力に対抗してＲ２方向へ回動する。
【００５８】
また、ロッキングレバー５０は、図５−１〜図５−４に示すように、上部の端部に板状に突出した突起部５４が設けられており、この突起部５４は、ロッキングレバー５０がバネの付勢力によりＲ２方向と逆方向に回動する場合に、コネクティングレバー６０を押圧する。すなわち、スライダー４０がＡ方向と逆方向へ移動することによってスライダー４０から突起部５１への押圧が解除されると、ロッキングレバー５０がバネの付勢力によりＲ２方向と逆方向に回動して、突起部５４は、デッドロッキングラッチボルト１０の外部方向（下方向）に移動してコネクティングレバー６０を押圧する。一方、スライダー４０がＡ方向へ移動することによって突起部５１がＡ方向に押圧されると、ロッキングレバー５０がバネの付勢力に対抗してＲ２方向に回動し、突起部５４は、デッドロッキングラッチボルト１０の内部方向（上方向）に移動してコネクティングレバー６０への押圧を解除する。なお、図３の錠前機構２における主錠２Ａでは、ロッキングレバー５０がＲ２方向と逆方向に回動して、突起部５４がデッドロッキングラッチボルト１０の外部方向（下方向）へ移動した状態である。
【００５９】
また、ロッキングレバー５０は、図５−１における左側の連結部５３により、下部が開放された空間内にあるソレノイド９０の鉄心９２と連結されている。ソレノイド９０が通電にされて鉄心９２がＤ方向へ移動すると、ロッキングレバー５０は、鉄心９２に連動してＤ方向に引っ張られてＲ２方向に回動して、突起部５４がデッドロッキングラッチボルト１０の内部方向（上方向）に移動してコネクティングレバー６０への押圧を解除する。一方、ソレノイド９０が非通電にされ、ソレノイド９０による鉄心９２のＤ方向への吸引力が解除されると、ロッキングレバー５０の支点５２の軸の周囲に設けられたバネ（不図示）の付勢力により鉄心９２がＤ方向と逆方向へ移動し、ロッキングレバー５０は、Ｒ２方向と逆方向に回動して、突起部５４がデッドロッキングラッチボルト１０の外部方向（下方向）に移動してコネクティングレバー６０を押圧する。
【００６０】
なお、上記のようにソレノイド９０への通電、非通電によりロッキングレバー５０を回動させる場合、スライダー４０と連結されている突起部５１は、孔部４１内を移動するが孔部４１に当接せずスライダー４０は連動しない。つまり、図３、図４−１に示すように、スライダー４０の孔部４１は、突起部５１が移動可能な大きさで形成されているため、ソレノイド９０の鉄心９２に連動してロッキングレバー５０が回動しても突起部５１が孔部４１内を移動するのみでスライダー４０が連動することはない。
【００６１】
コネクティングレバー６０は、ハンドル部７０のハンドル受け部材７１に回動可能に連結されている連結部６１を軸にしてＲ３方向またはＲ３方向と逆方向に回動するものであって、ハンドル部７０を介して受けた利用者からの操作力をデッドロッキングラッチボルト１０に伝達することによってデッドロッキングラッチボルト１０を移動させ出入口扉を開放する。図６は、主錠２Ａのコネクティングレバーの正面図である。コネクティングレバー６０は、金属性材料で形成された板状の部材であり、連結部６１の軸の周囲に設けられたバネ（不図示）により通常Ｒ３方向に付勢されている。また、コネクティングレバー６０は、デッドロッキングラッチボルト１０の軸部１１の端部に係合するように、窪んだ形状の係合部６３が形成されている。
【００６２】
また、コネクティングレバー６０は、ロッキングレバー５０がＲ２方向に回動して突起部５４からの押圧が解除されると、バネによる付勢力によりＲ３方向に回動する。この場合、突起部５１がデッドロッキングラッチボルト１０の内部方向（上方向）へ移動することで、デッドロッキングラッチボルト１０の軸部１１に空間が設けられる。そして、コネクティングレバー６０は、Ｒ３方向に回動することでその空間に入り、係合部６３が軸部１１の端部の位置にくるまで回動し、係合部６３がデッドロッキングラッチボルト１０の軸部１１に係合することになる。
【００６３】
一方、コネクティングレバー６０は、ロッキングレバー５０がＲ２方向と逆方向に回動して突起部５４により押圧されると、バネによる付勢力に対抗してＲ３方向と逆方向に回動する。この場合、突起部５１がデッドロッキングラッチボルト１０の外部方向（下方向）へ移動することで、デッドロッキングラッチボルト１０の軸部１１に設けられた空間が消滅していく。そして、コネクティングレバー６０は、Ｒ３方向と逆方向に回動することでその空間から押し出され、コネクティングレバー６０の全体がデッドロッキングラッチボルト１０の軸部１１から完全に出ることで、係合部６３とデッドロッキングラッチボルト１０の軸部１１との係合を解除する。なお、図３の錠前機構２における主錠２Ａは、係合部６３とデッドロッキングラッチボルト１０との係合が解除された状態である。
【００６４】
コネクティングレバー６０は、係合部６３がデッドロッキングラッチボルト１０の軸部１１に係合することで、ハンドル部７０から受付けた利用者からの操作力をデッドロッキングラッチボルト１０に伝達して、デッドロッキングラッチボルト１０を移動させることで出入口扉を開放する。このようなコネクティングレバー６０とデッドロッキングラッチボルト１０とが係合している状態は、出入口扉の開放が可能な状態となるため、空締まり施錠状態となる。また、コネクティングレバー６０は、係合部６３とデッドロッキングラッチボルト１０の軸部１１との係合を解除することで、ハンドル部７０から受付けた利用者からの操作力をデッドロッキングラッチボルト１０に伝達不能にして、デッドロッキングラッチボルト１０を移動不能にさせることで、出入口扉を開放不能、つまり閉鎖したままにする。このようなコネクティングレバー６０とデッドロッキングラッチボルト１０との係合が解除された状態は、出入口扉の開放が不可能な状態となるため、本締まり施錠状態となる。
【００６５】
ハンドル部７０は、主錠２Ａ側では、ハンドル受け部材７１とレバーハンドル７０ａ（図１参照）により構成されており、レバーハンドル７０ａは、ハンドル受け部材７１に設けられた正方形のレバーハンドル孔７２に差し込んで嵌合される。また、ハンドル受け部材７１には、レバーハンドル孔７２の周囲にバネ（不図示）が設けられており、バネの付勢力によりＲ４方向と逆方向に付勢されている。そして、空締まり施錠状態の出入口扉を開放するために、利用者からレバーハンドル７０ａをＲ４方向に回動する操作力を受付けた場合、ハンドル部７０は、レバーハンドル孔７２を軸としてＲ４方向に回動する。また、出入口扉を開放した後、利用者がレバーハンドル７０ａから手を離すと、ハンドル部７０は、バネの付勢力によりＲ４方向と逆方向に回動し、図３の位置まで戻ることになる。
【００６６】
ラッチホールド８０は、出入口扉が開放された状態から閉鎖される場合において、デッドロッキングラッチボルト１０の先端部１２の先端の略三角柱形状の部分のみフロント１から突出させた状態にするために、Ｂ方向と逆方向に移動するデッドロッキングラッチボルト１０のストッパー１３を係止部８３に係止させることでその移動を止めるものであり、錠前機構２の枠部に固定された支点８１を軸にして回動可能となっている。また、ラッチホールド８０は、支点８１の周囲に設けられたバネ（不図示）により付勢されることでＲ５方向と逆方向に移動しており、図３ではトリガーヘッド８５に当接することでその移動が係止されている。ラッチホールド８０は、後述するコ字状部材８６がＣ方向へ移動することでその端部８７に押圧され、バネによる付勢力に対抗してＲ５方向に回動する。ラッチホールド８０は、Ｒ５方向に回動した場合に係止部８３によりデッドロッキングラッチボルト１０の移動を止める。なお、図３の錠前機構２における主錠２Ａでは、ラッチホールド８０がＲ５方向と逆方向に移動した状態である。
【００６７】
トリガーヘッド８５は、略三角柱形状の金属性材料で形成されており、出入口扉が開放されている際に、本締まり施錠状態にならないように、スライダー４０の移動を阻止するものである。トリガーヘッド８５のフロント１側と反対側の端部には、断面がコの字形状の金属性材料で形成されたコ字状部材８６が固定されている。トリガーヘッド８５は、コ字状部材８６側に設けられたバネ（不図示）により通常Ｃ方向に付勢されているが、出入口扉が閉鎖されている場合は、出入口の壁面により押圧されてＣ方向と逆方向に押圧されている。そして、トリガーヘッド８５は、出入口扉が開放されるとともに出入口の壁面からの押圧が解除されてＣ方向へ移動し、出入口扉が閉鎖されるとともに出入口の壁面に押圧されてＣ方向と逆方向に移動して、錠前機構２の内部に挿入される。コ字状部材８６の上面には、孔部が形成されており、出入口扉が閉鎖されている状態、すなわちトリガーヘッド８５が錠前機構２の内部に挿入されている場合に、その孔部をスライダー４０の掛止部４３が通過可能となっている。また、コ字状部材８６は、トリガーヘッド８５のＣ方向の移動に連動してＣ方向に移動した場合、端部８７がラッチホールド８０の突起８２をＣ方向に押圧する。なお、図３の錠前機構２における主錠２Ａでは、トリガーヘッド８５がＣ方向と逆方向に移動した状態である。
【００６８】
ソレノイド９０は、電磁石の一種で、電磁誘導の作用によって、電気的エネルギーを機械的エネルギーに変換するものである。ソレノイド９０は、ソレノイド本体９１と、鉄心９２とにより主に構成されている。そして、ソレノイド本体９１には、孔部が設けられており、その孔部に鉄心９２が挿入されている。鉄心９２の上部は、連結部５３によりロッキングレバー５０と回動可能に連結されている。
【００６９】
鉄心９２は、制御部５１０によりソレノイド９０が通電されると、孔部に挿入する方向、すなわち図３におけるＤ方向に移動していき、連結部５３をＤ方向へ移動させる。また、通電された後に予め定めた所定の時間が経過すると、制御部５１０によりソレノイド９０が非通電にされ、ソレノイド９０による鉄心９２のＤ方向への吸引力が解除されると、ロッキングレバー５０の支点５２の軸の周囲に設けられたバネ（不図示）の付勢力により鉄心９２はＤ方向と逆方向へ移動し、連結部５３をＤ方向と逆方向へ移動させる。
【００７０】
本実施の形態の錠前装置１００の主錠２Ａは、以上のような構成となっている。なお、主錠２Ａは、上述のように、機械的施解錠部を主体として監視領域の利用者が利用し、警備員等が電気的施解錠部を使用することが前提となっているため、機械的施解錠部により解錠した場合に常時施錠状態に復帰する機能を構成する必要がなく、機械的施解錠部の動作のみ、もしくは電気的施解錠部の動作のみで施解錠を行うことができる構成としている。すなわち、主錠２Ａは、デッドロッキングラッチボルト１０の移動と、機械的施解錠部と、電気的施解錠部とが全て連動する構成を取っておらず、機械的施解錠部と電気的施解錠部とを連結する連結部材が不要となる代わりに、ロッキングレバー５０とコネクティングレバー６０とを機械的施解錠部（手動操作部３０）と電気的施解錠部（ソレノイド９０）のそれぞれから操作して主錠２Ａの施解錠を行うようにしている。具体的には、電気的施解錠部からの施解錠によりロッキングレバー５０が回動する際に、スライダー４０とロッキングレバー５０とを連結する突起部５１がスライダー４０を連動させずに移動可能となるようなスライダー４０の孔部４１を設けている。従って、主錠２Ａの部材を減少させ簡易な構成とすることができるとともに、安価で機械錠と電気錠とを備えた錠前自体を従来の機械錠と電気錠とを備えた錠前装置よりも小さく構成することが可能となる。
【００７１】
次に、錠前機構２における補助錠２Ｂについて説明する。補助錠２Ｂは、デッドボルト１１０と、ロッキングレバー１５０と、コネクティングレバー１６０と、ハンドル部７０と、ソレノイド１９０とを主に備えている。なお、上述したようにハンドル部７０は、主錠２Ａにも共通して備えられている。
【００７２】
デッドボルト１１０は、先端部１１２と、軸部１１１と、ストッパー１１３とによって主に構成されており、出入口の壁面に設けられた孔部（不図示）に挿脱可能となっている。また、デッドボルト１１０は、出入口扉を施錠状態、解錠状態、または施錠状態に移行可能な施錠可能状態にすることが可能なボルトである。
【００７３】
ここで、補助錠の施錠状態とは、出入口扉に設けられたレバーハンドル７０ａ（図１参照）を操作した場合であって、出入口扉を開放不可能にした状態である。すなわち、出入口扉に設けられたレバーハンドル７０ａからハンドル部７０を介して受けた利用者からの操作力によって、デッドボルト１１０の先端が、補助錠２Ｂに対向して出入口の壁面に設けられた孔部（不図示）に挿入されている状態である。
【００７４】
また、補助錠の解錠状態とは、出入口扉を押圧するだけで開放可能な状態である。すなわち、デッドボルト１１０が先端まで出入口扉の内部に挿入され保持された状態であって、出入口扉に設けられたレバーハンドル７０ａを操作してもデッドボルト１１０が移動不能となった状態である。
【００７５】
また、補助錠の施錠可能状態とは、出入口扉に設けられたレバーハンドル７０ａを操作すると、デッドボルト１１０が移動可能な状態である。すなわち、デッドボルト１１０の先端が、フロント１を通過して、補助錠２Ｂに対向して出入口の壁面に設けられた孔部（不図示）に挿入可能な状態であって、出入口扉に設けられたレバーハンドル７０ａを操作すると、ハンドル部７０を介して受けた利用者からの操作力によって、デッドボルト１１０がフロント１を通過して出入口の壁面の孔部に挿入され、出入口扉を開放できない状態である。
【００７６】
デッドボルト１１０の軸部１１１は、金属性材料で形成されている。また、軸部１１１の一方の端面には、先端部１１２が接続されており、この先端部１１２は、施錠が行われるとフロント１の開口部（不図示）を通過して出入口の壁面の孔部に挿入される部分で、先端が略直方体形状の金属性材料で形成されている。また、軸部１１１の他方の端面には、円柱形状の鉄心１１４が軸部１１１に対して移動可能に接続されている。鉄心１１４は、軸部１１１と接続されている端面と反対側の端面が錠前機構２の枠部に固定されており、デッドボルト１１０がＦ方向と反対方向に移動した場合、軸部１１１の内部に挿入されるものである。また、鉄心１１４の周囲にはバネ１１５が設けられており、デッドボルト１１０は、バネ１１５により通常Ｆ方向と逆方向に付勢されている。
【００７７】
また、軸部１１１と先端部１１２との間にあるストッパー１１３は、コネクティングレバー１６０（後述）により付勢されてＦ方向に移動するデッドボルト１１０を、フロント１に当接させることでデッドボルト１１０を係止してその移動を止めるものである。これは、軸部１１１がフロント１を通過しないようにして、先端部１１２のみフロント１から突出させて出入口の壁面の孔部に挿入させるためである。
【００７８】
ロッキングレバー１５０は、コネクティングレバー１６０（後述）の位置を調整するものであって、コネクティングレバー１６０を押圧したり、コネクティングレバー１６０への押圧を解除するものであり、錠前機構２の枠部に固定された支点１５２を軸にしてソレノイド１９０に連動してＲ６方向または、Ｒ６方向と逆方向に回動する金属性材料で形成されている。また、ロッキングレバー１５０は、回転軸である支点１５２と、ソレノイド１９０と連結される連結部１５３と、コネクティングレバー１６０（後述）を押圧する突起部１５４とが設けられており、支点１５２の軸の周囲に設けられたバネ（不図示）によって通常Ｒ６方向に付勢されている。図７−１は、補助錠２Ｂのロッキングレバーの正面図である。図７−２は、図７−１におけるＶ３側から見た補助錠２Ｂのロッキングレバーの側面図である。図７−３は、補助錠２Ｂのロッキングレバーの上面図である。図７−４は、補助錠２Ｂのロッキングレバーの底面図である。ロッキングレバー１５０は、図７−１で示しているロッキングレバー１５０の左側に、底面および両側面に囲まれて上部が開放された空間が形成されている。つまり、図７−２で示す図７−１におけるＶ３側から見たロッキングレバー１５０を参照すると、上部が開放されたコの字状の内部に空間が形成されていることになる。
【００７９】
また、ロッキングレバー１５０は、図７−１における左側の連結部１５３により、上部が開放された空間内にあるソレノイド１９０の鉄心１９２と連結されている。また、ロッキングレバー１５０は、図７−１〜図７−４に示すように、下部の端部に板状に突出した突起部１５４が設けられている。そして、ソレノイド１９０が非通電にされて、ソレノイド１９０による鉄心１９２のＥ方向と逆方向への吸引力が解除されると、ロッキングレバー１５０の支点１５２の軸の周囲に設けられたバネ（不図示）の付勢力により、鉄心１９２がＥ方向へ移動すると、ロッキングレバー１５０は、鉄心１９２に連動してＥ方向に引っ張られてＲ６方向に回動して、突起部１５４が上方向に移動してコネクティングレバー１６０を押圧する。これにより、コネクティングレバー１６０はデッドボルト１１０への係合を解除することになる。一方、ソレノイド１９０が通電にされ、ソレノイド１９０による鉄心１９２のＥ方向と逆方向への吸引力により、ロッキングレバー１５０の支点１５２の軸の周囲に設けられたバネ（不図示）の付勢力に対抗して鉄心１９２がＥ方向と逆方向へ移動し、ロッキングレバー１５０は、Ｒ６方向と逆方向に回動して、突起部１５４が下方向に移動してコネクティングレバー１６０への押圧を解除する。これにより、コネクティングレバー１６０はデッドボルト１１０へ係合することになる。なお、図３の錠前機構２における補助錠２Ｂでは、ロッキングレバー１５０がＲ６方向と逆方向に回動して、突起部１５４が下方向へ移動した状態である。
【００８０】
コネクティングレバー１６０は、ハンドル部７０のハンドル受け部材７３に回動可能に連結されている連結部１６１を軸にしてＲ７方向またはＲ７方向と逆方向に回動するものであって、ハンドル部７０を介して受けた利用者からの操作力をデッドボルト１１０に伝達することによってデッドボルト１１０を出入口の壁面の孔部に移動させ、出入口扉を開放不能、すなわち施錠状態にする。図８は、補助錠２Ｂのコネクティングレバーの正面図である。コネクティングレバー１６０は、金属性材料で形成された板状の部材であり、連結部１６１の軸の周囲に設けられたバネ（不図示）により通常Ｒ７方向と反対方向に付勢されている。また、コネクティングレバー１６０は、デッドボルト１１０の軸部１１１の端部に係合するように、窪んだ形状の係合部１６３が形成されている。
【００８１】
また、コネクティングレバー１６０は、ロッキングレバー１５０がＲ６方向と反対方向に回動して突起部１５４からの押圧が解除されると、バネによる付勢力によりＲ７方向と反対方向に回動する。この場合、突起部１５４が下方向へ移動することで、コネクティングレバー１６０は、Ｒ７方向と反対方向に回動して、係合部１６３が軸部１１１の端部の位置にくるまで回動し、係合部１６３がデッドボルト１１０の軸部１１１に係合することになる。
【００８２】
一方、コネクティングレバー１６０は、ロッキングレバー１５０がＲ６方向に回動して突起部１５４により押圧されると、バネによる付勢力に対抗してＲ７方向に回動する。この場合、突起部１５４が上方向へ移動することで、コネクティングレバー１６０は、Ｒ７方向に回動して、係合部１６３とデッドボルト１１０の軸部１１１との係合を解除する。なお、図３の錠前機構２における補助錠２Ｂは、係合部１６３とデッドボルト１１０とが係合した状態である。
【００８３】
コネクティングレバー１６０は、係合部１６３がデッドボルト１１０の軸部１１１に係合することで、ハンドル部７０から受付けた利用者からの操作力をデッドボルト１１０に伝達して、デッドボルト１１０を出入口の壁面の孔部に移動させることで出入口扉を開放不可能にする。このようにコネクティングレバー１６０とデッドボルト１１０とが係合している状態とは、デッドボルト１１０を出入口の壁面の孔部に移動させる（挿入させる）と出入口扉の開放が不可能な状態となるため、施錠可能状態となる。また、コネクティングレバー１６０は、係合部１６３とデッドボルト１１０の軸部１１１との係合を解除することで、ハンドル部７０から受付けた利用者からの操作力をデッドボルト１１０に伝達不能にして、デッドボルト１１０を移動不能にさせることで出入口扉を開放可能にする。このようなコネクティングレバー１６０とデッドボルト１１０との係合が解除された状態とは、デッドボルト１１０が出入口の壁面の孔部に移動されず出入口扉の開放が可能な状態となるため、解錠状態となる。
【００８４】
ハンドル部７０は、補助錠２Ｂ側では、ハンドル受け部材７３とレバーハンドル７０ａ（図１参照）により構成されており、レバーハンドル７０ａは、ハンドル受け部材７３に設けられた正方形のレバーハンドル孔７２に差し込んで嵌合される。また、ハンドル受け部材７３には、レバーハンドル孔７２の周囲にバネ（不図示）が設けられており、バネの付勢力によりＲ４方向と逆方向に付勢されている。そして、施錠可能状態の出入口扉を施錠状態にするためには、コネクティングレバー１６０がデッドボルト１１０の軸部１１１に係合している状態で、利用者からレバーハンドル７０ａをＲ４方向に回動する操作力を受付け、ハンドル部７０は、レバーハンドル孔７２を軸としてＲ４方向に回動する。また、出入口を施錠した後、利用者がレバーハンドル７０ａから手を離すと、ハンドル部７０は、バネの付勢力によりＲ４方向と逆方向に回動し、図３の位置まで戻ることになる。
【００８５】
ソレノイド１９０は、電磁石の一種で、電磁誘導の作用によって、電気的エネルギーを機械的エネルギーに変換するものである。ソレノイド１９０は、ソレノイド本体１９１と、鉄心１９２とにより主に構成されている。そして、ソレノイド本体１９１には、孔部が設けられており、その孔部に鉄心１９２が挿入されている。鉄心１９２の下部は、連結部１５３によりロッキングレバー１５０と回動可能に連結されている。
【００８６】
鉄心１９２は、制御部５１１によりソレノイド１９０が非通電にされると、ソレノイド１９０による鉄心１９２のＥ方向と逆方向への吸引力が解除され、ロッキングレバー１５０の支点１５２の軸の周囲に設けられたバネ（不図示）の付勢力により、鉄心１９２が図３におけるＥ方向に移動していき、連結部１５３をＥ方向へ移動させる。また、制御部５１１によりソレノイド１９０が通電にされると、鉄心１９２が図３におけるＥ方向と反対方向に移動していき、連結部１５３をＥ方向と反対方向へ移動させる。本実施の形態では、操作部５０２から警備状態の設定を受付けた場合にソレノイド１９０が通電にされ、操作部５０２から警備解除状態の設定を受付けた場合にソレノイド１９０が非通電にされる。
【００８７】
本実施の形態の錠前装置１００は、以上のような構成となっている。主錠２Ａは、手動操作部３０またはソレノイド９０のいずれかからの操作により、本締まり施錠状態（施錠状態）または空締まり施錠状態（解錠可能状態）にすることができ、空締まり施錠状態において、レバーハンドル７０ａを操作することにより、解錠状態にすることができる。一方、補助錠２Ｂは、警備モードの設定に従ったソレノイド１９０からの操作により、解錠状態または施錠可能状態にすることができ、施錠可能状態において、レバーハンドル７０ａを操作することにより、施錠状態にすることができる。すなわち、補助錠２Ｂは、警備モードが警備解除状態に設定された場合に解錠状態にされ、警備モードが警備状態に設定された場合に施錠可能状態にされる。
【００８８】
次に、錠前装置１００の動作について説明する。なお、手動操作部３０（機械的施解錠部）からの操作により、主錠２Ａを本締まり施錠状態または空締まり施錠状態にする場合を機械的施解錠とし、ソレノイド９０（電気的施解錠部）の通電・非通電により主錠２Ａを本締まり施錠状態または空締まり施錠状態にする場合を電気的施解錠とする。
【００８９】
まず、図３に示す主錠２Ａが本締まり施錠状態で、補助錠２Ｂが施錠可能状態である錠前装置１００において、ハンドル部７０を操作した場合の動作について、図３および図９を参照して説明する。図９は、図３に示す錠前装置においてハンドル部が操作された場合を示す図である。
【００９０】
図３に示す主錠２Ａは、コネクティングレバー６０とデッドロッキングラッチボルト１０の軸部１１とは係合が解除された状態で離れているため、本締まり施錠状態となっている。この状態において、レバーハンドル孔７２に嵌合しているレバーハンドルへの利用者からの操作力を受付けると、ハンドル部７０がＲ４方向に回動し、ハンドル部７０のハンドル受け部材７１と連結部６１で連結されているコネクティングレバー６０が移動して、図９の主錠２Ａの状態になる。つまり、図３の主錠２Ａの状態で、レバーハンドルへの利用者からの操作力を受付けても、コネクティングレバー６０がデッドロッキングラッチボルト１０の軸部１１に係合されていないため、ハンドル部７０およびコネクティングレバー６０は、デッドロッキングラッチボルト１０を移動させることなく空転してしまう。従って、主錠２Ａは、デッドロッキングラッチボルト１０が移動不能な状態であるため、空締まり施錠状態になることはなく、レバーハンドルを操作しても施錠状態のままである。なお、この場合のコネクティングレバー６０は、施解錠動作とは関係ないが、移動することによってロッキングレバー５０の突起部５４からの押圧が解除されるため、バネによりＲ３方向に多少回動する。
【００９１】
図３に示す補助錠２Ｂは、警備モードが警備状態に設定されており、コネクティングレバー１６０とデッドボルト１１０の軸部１１１とが係合された状態であるため、施錠可能状態となっている。この状態において、レバーハンドルへの利用者からの操作力を受付けると、ハンドル部７０がＲ４方向に回動し、ハンドル部７０のハンドル受け部材７３と連結部１６１で連結されているコネクティングレバー１６０が移動して、コネクティングレバー１６０により軸部１１１を押圧されたデッドボルト１１０がＦ方向に移動して、図９の補助錠２Ｂの状態になる。従って、補助錠２Ｂは、レバーハンドルを操作すると、デッドボルト１１０が移動して施錠状態となる。
【００９２】
つまり、図３の錠前装置１００において、レバーハンドルを回動させた場合、主錠２Ａのデッドロッキングラッチボルト１０は本締まり施錠状態を維持し、補助錠２Ｂのデッドボルト１１０は、施錠可能状態から施錠状態となり、図９の錠前装置１００では、主錠２Ａおよび補助錠２Ｂが施錠状態となり、出入口扉が開放されることはない。
【００９３】
また、図９の錠前装置１００の状態において、利用者がレバーハンドルから手を離すと、バネによる付勢力によりハンドル部７０がＲ４方向と逆方向に回動する。そうすると、ハンドル受け部材７１と連結部６１で連結されているコネクティングレバー６０が移動し、ハンドル受け部材７３と連結部１６１で連結されているコネクティングレバー１６０が移動して、図３の状態に戻る。
【００９４】
次に、図３に示す主錠２Ａが本締まり施錠状態であって、補助錠２Ｂが施錠可能状態である錠前装置１００から、手動操作部３０を操作することにより主錠２Ａが空締まり施錠状態にされた場合の動作（機械的解錠）について、図３および図１０を参照して説明する。図１０は、空締まり施錠状態の主錠２Ａと施錠可能状態の補助錠２Ｂとを備えた錠前装置を示す図である。また、図１０では、補助錠２Ｂは、警備モードを警備状態に設定されたままであるため、施錠可能状態のままである。ここで、主錠２Ａが本締まり施錠状態から空締まり施錠状態にされ、補助錠２Ｂが警備状態のままである場合とは、例えば、不正侵入者によるピッキングやサムターン回しなどの不正解錠が行われた場合、もしくは正当な利用者が警備モードを警備解除状態に設定することを失念した状態で手動操作部３０を操作した場合が考えられる。
【００９５】
図３に示す本締まり施錠状態の主錠２Ａにおいて、利用者から手動操作部３０をＲ１方向へ回動する操作力を受付けると、手動操作部３０に連動してサムターンハブ３１がＲ１方向へ回動する。そして、サムターンハブ３１が回動することでサムターンハブ３１がスライダー４０の傾斜部４２ａを上方に向かって押圧し、スライダー４０が上方向（Ａ方向）へ移動する。このとき、孔部４１の下部内壁面にロッキングレバー５０の突起部５１が当接しているので、突起部５１はこの下部内壁面によってスライダー４０の上方向の移動に伴って押圧され、従って、突起部５１の移動により、ロッキングレバー５０が支点５２周りのＲ２方向に回動する。ロッキングレバー５０がＲ２方向に回動すると、突起部５４がデッドロッキングラッチボルト１０の内部方向（上方向）へ移動し、コネクティングレバー６０への押圧を解除する。ロッキングレバー５０からの押圧が解除されると、コネクティングレバー６０は、バネ（付図示）の付勢力によりＲ３方向に回動し、係合部６３がデッドロッキングラッチボルト１０の軸部１１に係合して、図１０に示すように、主錠２Ａが空締まり施錠状態になる。
【００９６】
このとき、図３に示す補助錠２Ｂは、警備モードが警備状態に設定されており、コネクティングレバー１６０とデッドボルト１１０の軸部１１１とが係合された状態であるため、施錠可能状態となっている。そして、警備モードは警備状態に設定されているままであるため、図１０に示す補助錠２Ｂにおいても図３と同様に同じく施錠可能状態である。
【００９７】
次に、図１０に示す主錠２Ａが空締まり施錠状態で、補助錠２Ｂが施錠可能状態である錠前装置１００において、ハンドル部７０を操作した場合の動作について、図１０、図１１を参照して説明する。図１１は、図１０に示す錠前装置においてハンドル部が操作された場合を示す図である。
【００９８】
図１０に示す主錠２Ａは、コネクティングレバー６０とデッドロッキングラッチボルト１０の軸部１１とが係合された状態となっているため、機械的解錠により空締まり施錠状態となっている。この状態において、レバーハンドルへの利用者からの操作力を受付けると、ハンドル部７０がＲ４方向に回動し、ハンドル部７０とコネクティングレバー６０は連結部６１で連結されているため、コネクティングレバー６０がＢ方向に移動する。コネクティングレバー６０がＢ方向へ移動することで、軸部１１によって係合部６３に係合されているデッドロッキングラッチボルト１０がバネ１５の付勢力に対抗してＢ方向へ移動して、先端部１２が錠前機構２の内部に挿入されていく。そして、デッドロッキングラッチボルト１０の先端部１２が完全に錠前機構２の内部に挿入されるまで移動すると、図１１に示すように、主錠２Ａは、フロント１からデッドロッキングラッチボルト１０が突出されない状態となり解錠状態となる。
【００９９】
図１０に示す補助錠２Ｂは、警備モードが警備状態に設定されており、コネクティングレバー１６０とデッドボルト１１０の軸部１１１とが係合された状態であるため、施錠可能状態となっている。この状態において、レバーハンドルへの利用者からの操作力を受付けると、ハンドル部７０がＲ４方向に回動し、ハンドル部７０のハンドル受け部材７３と連結部１６１で連結されているコネクティングレバー１６０が移動して、コネクティングレバー１６０により軸部１１１を押圧されたデッドボルト１１０がＦ方向に移動して、図１１の補助錠２Ｂの状態になる。従って、補助錠２Ｂは、レバーハンドルを操作すると、デッドボルト１１０が移動して施錠状態となる。
【０１００】
つまり、図１０の錠前装置１００において、レバーハンドルを回動させた場合、主錠２Ａのデッドロッキングラッチボルト１０は空締まり施錠状態から解錠状態となるが、補助錠２Ｂのデッドボルト１１０は、施錠可能状態から施錠状態となるため、図１１の錠前装置１００では、主錠２Ａが解錠状態で、補助錠２Ｂが施錠状態となり、出入口扉が開放されることはない。従って、例えば、鍵を挿入することで操作する手動操作部３０から主錠２Ａが不正に解錠された場合でも、警備解除状態に設定されなければ補助錠２Ｂは解錠されず、不正な入館を阻止することができる。
【０１０１】
次に、図３に示す主錠２Ａが本締まり施錠状態であって、補助錠２Ｂが施錠可能状態である錠前装置１００から、操作部５０２により警備モードを警備状態から警備解除状態に設定した場合の動作について、図３および図１２を参照して説明する。図１２は、本締まり施錠状態の主錠２Ａと解錠状態の補助錠２Ｂとを備えた錠前装置を示す図である。なお、ここでは、主錠２Ａは本締まり施錠状態のままである。
【０１０２】
図３に示す補助錠２Ｂは、操作部５０２により警備解除状態の設定を受付け、警備装置５００の警備モードが警備状態から警備解除状態に設定されると、制御部５１１によりソレノイド１９０が非通電にされ、鉄心１９２がＥ方向へ移動する。鉄心１９２がＥ方向へ移動すると、鉄心１９２に連結されている連結部１５３がＥ方向に引っ張られてロッキングレバー１５０がＲ６方向に回動する。ロッキングレバー１５０がＲ６方向に回動すると、突起部１５４が上方向へ移動し、コネクティングレバー１６０を押圧する。ロッキングレバー１５０から押圧されると、コネクティングレバー１６０は、連結部１６１を中心にＲ７方向に回転して、係合部１６３がデッドボルト１１０の軸部１１１への係合を解除して、図１２に示すように、補助錠２Ｂが解錠状態になる。
【０１０３】
次に、図１２に示す主錠２Ａが本締まり施錠状態であって、補助錠２Ｂが解錠状態である錠前装置１００から、手動操作部３０を操作することにより主錠２Ａが空締まり施錠状態にされた場合の動作（機械的解錠）について、図１２および図１３を参照して説明する。図１３は、空締まり施錠状態の主錠２Ａと解錠状態の補助錠２Ｂとを備えた錠前装置を示す図である。ここで、主錠２Ａを手動操作部３０により本締まり施錠状態から空締まり施錠状態にする動作は、図３から図１０への主錠２Ａを手動操作部３０により本締まり施錠状態から空締まり施錠状態にする動作と同様であるため説明を省略する。
【０１０４】
次に、図１３に示す主錠２Ａが空締まり施錠状態で、補助錠２Ｂが解錠状態である錠前装置１００において、ハンドル部７０を操作した場合の動作について、図１３、図１４を参照して説明する。図１４は、図１３に示す錠前装置においてハンドル部が操作された場合を示す図である。
【０１０５】
図１３に示す主錠２Ａは、機械的解錠により空締まり施錠状態となっており、コネクティングレバー６０とデッドロッキングラッチボルト１０の軸部１１とが係合された状態となっている。この状態において、レバーハンドルへの利用者からの操作力を受付けた場合の動作は、図１０から図１１へのレバーハンドルへの利用者からの操作力を受けた場合の主錠２Ａの動作と同様であるため説明を省略する。
【０１０６】
図１３に示す補助錠２Ｂは、警備モードが警備状態から警備解除状態に設定され、ソレノイド１９０が非通電にされたことで、コネクティングレバー１６０とデッドボルト１１０の軸部１１１との係合が解除された状態であるため、解錠状態となっている。この状態において、レバーハンドルへの利用者からの操作力を受付けると、ハンドル部７０がＲ４方向に回動し、ハンドル部７０のハンドル受け部材７３と連結部１６１で連結されているコネクティングレバー１６０が移動して、図１４の補助錠２Ｂの状態になる。つまり、図１３の補助錠２Ｂの状態で、レバーハンドルへの利用者からの操作力を受け付けても、コネクティングレバー１６０がデッドボルト１１０の軸部１１１に係合されていないため、ハンドル部７０およびコネクティングレバー１６０は、デッドボルト１１０を移動させることなく空転してしまう。従って、補助錠２Ｂは、デッドボルト１１０が移動不能な状態であるため、レバーハンドルを操作しても解錠状態のままである。
【０１０７】
つまり、図１３の錠前装置１００において、レバーハンドルを回動させた場合、主錠２Ａのデッドロッキングラッチボルト１０は空締まり施錠状態から解錠状態となり、補助錠２Ｂのデッドボルト１１０は解錠状態を維持するため、図１４の錠前装置１００では、主錠２Ａおよび補助錠２Ｂが解錠状態となり、出入口扉が開放されることになる。
【０１０８】
なお、図１４に示す錠前装置１００において、出入口扉が開放される際、出入口の壁面からの押圧が解除されたトリガーヘッド８５がバネの付勢力によりＣ方向へ移動するとともに、トリガーヘッド８５に固定されているコ字状部材８６もＣ方向へ移動する。コ字状部材８６がＣ方向へ移動すると、端部８７がラッチホールド８０の突起８２をＣ方向に押圧して、ラッチホールド８０はＲ５方向に回動する。
【０１０９】
そして、出入口扉が開放された後に利用者がレバーハンドルから手を離すと、ハンドル部７０はバネの付勢力によりＲ４方向と逆方向に回動し、ハンドル部７０と連結部６１で連結されているコネクティングレバー６０もＢ方向と逆方向に移動する。コネクティングレバー６０がＢ方向と逆方向に移動することによって、係合部６３に軸部１１で係合されてＢ方向へ移動していたデッドロッキングラッチボルト１０が、バネ１５の付勢力によりＢ方向と逆方向に移動する。
【０１１０】
このとき、ハンドル部７０は、Ｒ４方向と逆方向に回動して、図１３における空締まり施錠状態のハンドル部７０の位置まで戻るが、デッドロッキングラッチボルト１０は、図１３における空締まり施錠状態まで戻らない。これは、デッドロッキングラッチボルト１０がバネ１５により付勢されてＢ方向と逆方向に移動している途中で、ストッパー１３がＲ５方向に回動したラッチホールド８０の係止部８３に当接することで係止され、図１３における空締まり施錠状態におけるデッドロッキングラッチボルト１０の位置までは戻らず、デッドロッキングラッチボルト１０の先端部１２の先端の略三角柱形状の部分のみフロント１から突出させた状態となる。これにより、レバーハンドルからの操作力を受付けなくとも、出入口扉が閉鎖される場合の出入口の壁面から略三角柱形状の部分への押圧力により、デッドロッキングラッチボルト１０が一旦錠前機構２に挿入されて出入口扉が閉鎖されることになる。
【０１１１】
また、出入口扉が閉鎖される際、出入口の壁面から押圧されてトリガーヘッド８５がバネの付勢力に対抗してＣ方向と逆方向へ移動するとともに、トリガーヘッド８５に固定されているコ字状部材８６もＣ方向と逆方向へ移動する。コ字状部材８６がＣ方向と逆方向へ移動すると、端部８７によるラッチホールド８０の突起８２へのＣ方向の押圧が解除されて、ラッチホールド８０はバネの付勢力によりＲ５方向と逆方向に回動する。そして、出入口の壁面からの押圧力により一旦錠前機構２に挿入されたデッドロッキングラッチボルト１０は、バネ１５の付勢力によりＢ方向と逆方向に移動して、ラッチホールド８０がＲ５方向と逆方向へ回動したためにストッパー１３が係止部８３に係止されることなく、出入口の壁面の孔部に先端部１２が挿入されて空締まり施錠状態となる。
【０１１２】
このように、操作部５０２により警備解除状態の設定を受付け、制御部５１１により警備モードを警備状態から警備解除状態へ設定することで補助錠２Ｂを施錠可能状態から解錠状態にし、かつ手動操作部３０からの操作により主錠２Ａを本締まり施錠状態から空締まり施錠状態にした場合（機械的解錠）に、レバーハンドルを操作することで出入口扉を開放することができる。すなわち、警備解除状態へ設定を行わずにレバーハンドルを操作したり、手動操作部３０からの操作を行わずにレバーハンドルを操作しても、出入口扉は開放されることはない。
【０１１３】
次に、図３に示す主錠２Ａが本締まり施錠状態であって、補助錠２Ｂが施錠可能状態である錠前装置１００から、ソレノイド９０を通電することにより主錠２Ａが空締まり施錠状態にされた場合の動作（電気的解錠）と、操作部５０２により警備モードを警備状態から警備解除状態に設定した場合の動作とについて、図３、１５を参照して説明する。図１５は、空締まり施錠状態の主錠２Ａと解錠状態の補助錠２Ｂとを備えた錠前装置を示す図である。
【０１１４】
なお、通電によって主錠２Ａを解錠状態にする場合とは、例えば、監視領域に異常が発生し、異常検知情報の通報を受けた監視センタが待機中の警備員をその監視領域へ向かわせた場合である。そして、その監視領域に設置された出入口扉の鍵を所持していない警備員が駆けつけた場合、警備員は、出入口扉付近に設置された操作部５０１に警備員の利用者ＩＤを入力する。操作部５０１が利用者ＩＤを受付けると、制御部５１０は、受付けた利用者ＩＤが、記憶部等に予め定められた利用者ＩＤか否かを照合することで利用者認証を行い、その利用者認証が成功した場合に、ソレノイド９０を通電する。
【０１１５】
図３に示す本締まり施錠状態の主錠２Ａにおいて、ソレノイド９０が通電されると、鉄心９２がＤ方向へ移動する。鉄心９２がＤ方向へ移動すると、鉄心９２に連結されている連結部５３がＤ方向に引っ張られてロッキングレバー５０がＲ２方向に回動する。ロッキングレバー５０がＲ２方向に回動すると、突起部５４がデッドロッキングラッチボルト１０の内部方向（上方向）へ移動し、コネクティングレバー６０への押圧を解除する。ロッキングレバー５０からの押圧が解除されると、コネクティングレバー６０は、バネの付勢力によりＲ３方向に回動し、係合部６３がデッドロッキングラッチボルト１０の軸部１１に係合して、図１５に示すように、主錠２Ａが空締まり施錠状態になる。ここで、突起部５１は、スライダー４０の孔部４１の下部内壁面に当接した状態となっているので、ソレノイド９０を通電することによりロッキングレバー５０がＲ２方向に回動した場合、突起部５１は孔部４１の下部内壁面に当接しなくなり孔部４１内を上方向に移動する。このため、ロッキングレバー５０のＲ２方向への回動にスライダー４０が連動して上方向に移動することはなく、図３および図１５に示すように、スライダー４０は本締まり施錠状態においても空締まり施錠状態においても同じ位置を維持する。
【０１１６】
図３に示す補助錠２Ｂは、操作部５０２により警備解除状態の設定を受付け、警備装置５００の警備モードが警備状態から警備解除状態に設定されると、制御部５１１によりソレノイド１９０が非通電にされ、鉄心１９２がＥ方向へ移動する。鉄心１９２がＥ方向へ移動すると、鉄心１９２に連結されている連結部１５３がＥ方向に引っ張られてロッキングレバー１５０がＲ６方向に回動する。ロッキングレバー１５０がＲ６方向に回動すると、突起部１５４が上方向へ移動し、コネクティングレバー１６０を押圧する。ロッキングレバー１５０から押圧されると、コネクティングレバー１６０は、連結部１６１を中心にＲ７方向に回転して、係合部１６３がデッドボルト１１０の軸部１１１への係合を解除して、図１５に示すように、補助錠２Ｂが解錠状態になる。
【０１１７】
次に、図１５に示す主錠２Ａが空締まり施錠状態で、補助錠２Ｂが解錠状態である錠前装置１００において、ハンドル部７０を操作した場合の動作について、図１５、図１６を参照して説明する。図１６は、図１５に示す錠前装置においてハンドル部が操作された場合を示す図である。
【０１１８】
図１５に示す主錠２Ａは、電気的解錠により空締まり施錠状態となっており、コネクティングレバー６０とデッドロッキングラッチボルト１０の軸部１１とが係合された状態となっている。この状態において、レバーハンドルへの利用者からの操作力を受付けた場合の動作は、図１０から図１１へのレバーハンドルへの利用者からの操作力を受けた場合の主錠２Ａの動作と同様であるため説明を省略する。
【０１１９】
図１５に示す補助錠２Ｂは、警備モードが警備解除状態に設定され、ソレノイド１９０が非通電にされたことで、コネクティングレバー１６０とデッドボルト１１０の軸部１１１との係合が解除された状態であるため、解錠状態となっている。この状態において、レバーハンドルへの利用者からの操作力を受付けた場合の動作は、図１３から図１４へのレバーハンドルへの利用者からの操作力を受けた場合の補助錠２Ｂの動作と同様であるため説明を省略する。
【０１２０】
つまり、図１５の錠前装置１００において、レバーハンドルを回動させた場合、主錠２Ａのデッドロッキングラッチボルト１０は空締まり施錠状態から解錠状態となり、補助錠２Ｂのデッドボルト１１０は解錠状態を維持するため、図１６の錠前装置１００では、主錠２Ａおよび補助錠２Ｂが解錠状態となり、出入口扉が開放されることになる。
【０１２１】
このように、操作部５０２により警備解除状態の設定を受付け、制御部５１１により警備モードを警備状態から警備解除状態へ設定することで補助錠２Ｂを施錠可能状態から解錠状態にし、かつ操作部５０１から受付けた利用者ＩＤにより利用者認証を行ってソレノイド９０を通電することにより主錠２Ａを本締まり施錠状態から空締まり施錠状態にした場合（電気的解錠）に、レバーハンドルを操作することで出入口扉を開放することができる。すなわち、警備解除状態へ設定を行わずにレバーハンドルを操作したり、操作部５０１からの利用者ＩＤの受付けが行われずにレバーハンドルを操作しても、出入口扉は開放されることはない。
【０１２２】
上述のように、錠前装置１００の動作においては、操作部５０２により警備状態や警備解除状態の警備モードの設定を受付け、制御部５１１により操作部５０２により警備状態にする設定を受付けた場合はソレノイド１９０を通電し、警備解除状態にする設定を受付けた場合はソレノイド１９０を非通電にすることで、補助錠２Ｂを施錠可能状態もしくは解錠状態にしていた。これに対し、操作部５０２により受付けた利用者ＩＤによる利用者認証の成功の有無によって、ソレノイド１９０を通電または非通電にして、補助錠２Ｂを施錠可能状態もしくは解錠状態にしてもよい。
【０１２３】
具体的には、主錠２Ａが本締まり施錠状態であって、補助錠２Ｂが施錠可能状態である錠前装置１００から、操作部５０２により警備モードを警備状態から警備解除状態に設定した場合の動作（図３、１２参照）について説明する。
【０１２４】
図３に示す補助錠２Ｂは、操作部５０２により利用者ＩＤ（第１利用者識別情報）を受付けると、制御部５１１により受付けた利用者ＩＤによる利用者認証が行われ、その利用者認証が成功した場合にソレノイド１９０が非通電にされ、鉄心１９２がＥ方向へ移動する。鉄心１９２がＥ方向へ移動すると、鉄心１９２に連結されている連結部１５３がＥ方向に引っ張られてロッキングレバー１５０がＲ６方向に回動する。ロッキングレバー１５０がＲ６方向に回動すると、突起部１５４が上方向へ移動し、コネクティングレバー１６０を押圧する。ロッキングレバー１５０から押圧されると、コネクティングレバー１６０は、連結部１６１を中心にＲ７方向に回転して、係合部１６３がデッドボルト１１０の軸部１１１への係合を解除して、図１２に示すように、補助錠２Ｂが解錠状態になる。また、図１５における補助錠２Ｂの解錠状態への動作も同様である。
【０１２５】
このように、操作部５０２により利用者ＩＤの入力を受付け、制御部５１１により利用者認証が成功した場合にソレノイド１９０を非通電にすることで補助錠２Ｂを施錠可能状態から解錠状態にし、かつ手動操作部３０からの操作により主錠２Ａを本締まり施錠状態から空締まり施錠状態にした場合（機械的解錠）に、レバーハンドルを操作することで出入口扉を開放することができる。すなわち、利用者認証が成功していない場合にレバーハンドルを操作したり、手動操作部３０からの操作を行わずにレバーハンドルを操作しても、出入口扉は開放されることはない。
【０１２６】
また、操作部５０２により利用者ＩＤの入力を受付け、制御部５１１により利用者認証が成功した場合にソレノイド１９０を非通電にすることで補助錠２Ｂを施錠可能状態から解錠状態にし、かつ操作部５０１から受付けた利用者ＩＤにより利用者認証を行ってソレノイド９０を通電することにより主錠２Ａを本締まり施錠状態から空締まり施錠状態にした場合（電気的解錠）に、レバーハンドルを操作することで出入口扉を開放することができる。すなわち、利用者認証が成功していない場合にレバーハンドルを操作したり、操作部５０１からの利用者ＩＤの受付けが行われずにレバーハンドルを操作しても、出入口扉は開放されることはない。
【０１２７】
次に、主錠２Ａと補助錠２Ｂにおける施解錠の可否について説明する。図１７は、主錠２Ａと補助錠２Ｂによる施解錠の可否を示す図である。
【０１２８】
図１７に示すように、主錠２Ａは、機械的施解錠部の手動操作部３０による操作が行われた場合、および電気的施解錠部の操作部５０１による利用者ＩＤを受付け利用者認証に成功した場合に、本締まり施錠状態（施錠状態）から空締まり施錠状態（解錠可能状態）への動作、またはその反対の動作を行うことができる。一方、主錠２Ａは、操作部５０２による警備モードの設定を受付けた場合、および操作部５０２による利用者ＩＤを受付け利用者認証に成功した場合には、本締まり施錠状態（施錠状態）から空締まり施錠状態（解錠可能状態）への動作、またはその反対の動作を行うことができない。
【０１２９】
また、図１７に示すように、補助錠２Ｂは、機械的施解錠部の手動操作部３０による操作が行われた場合、および電気的施解錠部の操作部５０１による利用者ＩＤを受付け利用者認証に成功した場合に、本締まり施錠状態（施錠可能状態）から空締まり施錠状態（解錠状態）への動作、またはその反対の動作を行うことができない。一方、補助錠２Ｂは、操作部５０２による警備モードの設定を受付けた場合、および操作部５０２による利用者ＩＤを受付け利用者認証に成功した場合には、本締まり施錠状態（施錠可能状態）から空締まり施錠状態（解錠状態）への動作、またはその反対の動作を行うことができる。
【０１３０】
上記は、操作部５０１から受付ける利用者ＩＤ（利用者ＩＤ−Ａと称する）と操作部５０２から受付ける利用者ＩＤ（利用者ＩＤ−Ｂと称する）とが異なる場合である。従って、利用者ＩＤ−Ａと利用者ＩＤ−Ｂとが同一である場合、すなわち同一の利用者ＩＤにより制御部５１０、５１１それぞれにより利用者認証が行われる場合には、同一の利用者ＩＤにより主錠２Ａおよび補助錠２Ｂの施解錠動作を行うことができる（図１７における「Ａ＝Ｂでは○」参照）。
【０１３１】
このように、実施の形態１の錠前装置１００における補助錠２Ｂでは、通常時には解錠状態であって、不正解錠や警備解除状態への設定の失念などによる不正行為が行われた場合に、レバーハンドル７０ａを操作すると、デッドボルト１１０を解錠状態から施錠状態にし、正常な解錠が行われた場合は解錠状態を維持する。従って、正規の利用者が入退館する場合には、主錠のみで出入口扉を施錠状態にするため、一回の施解錠操作で出入口扉の施解錠を可能にして煩雑な施解錠操作を強要せず利便性を向上させることができる。また、不正侵入者による不正解錠などの不正行為が行われた場合は、主錠２Ａと補助錠２Ｂとにより出入口扉を施錠状態にするため、不正侵入者には解錠操作を困難にして防犯性を向上できる。また、正規の利用者が警備解除状態に設定することなく、鍵による手動操作部３０からの解錠を試みても出入口扉が開放されず、正規の利用者に警備の解除の失念を気付かせることができるとともに、警備の解除の失念による監視センタ等への誤報も軽減することができる。
【０１３２】
また、補助錠２Ｂは、警備装置５００における警備状態または警備解除状態の設定に従ってデッドボルト１１０を移動させて施解錠を行うことが可能であるため、警備サービスを提供する警備会社等が補助錠２Ｂの鍵を受領することが不要となり、鍵の管理負担や警備サービスの運用負担を低減することができる。
【０１３３】
（実施の形態１の変形例）
実施の形態１の補助錠２Ｂは、不正行為が行われた場合に解錠状態から施錠状態に移行する構成となっており、出入口扉の内部に設置されていた。従って、実施の形態１では、補助錠が設けられていることが外部側からはわからない。そこで、本実施の形態では、さらに、実施の形態１の補助錠が設置されていることを不正な第三者に連想させる模造のシリンダ（ダミーシリンダ）を出入口扉４に設置したものである。
【０１３４】
図１８は、実施の形態１の変形例にかかる補助錠と主錠とを設置した出入口扉の全体を示す図である。図１８は、出入口扉４を部屋の外部から見た正面図であり、主錠２Ａと補助錠２Ｂとを備えた錠前装置１００とが出入口扉４の内部に設けられている。そして、補助錠２Ｂが内部に設置されている位置に対応する出入口扉４の外側にダミーシリンダ２００が設けられている。図１９は、電気的に施解錠操作を行う補助錠が設置されていることを連想させる描画を施したダミーシリンダの一例を示す図である。なお、補助錠２Ｂと主錠２Ａの構成、機能、および施解錠動作については、実施の形態１と同様であるため説明を省略する。
【０１３５】
ダミーシリンダ２００は、出入口扉４に二つ目の錠前機構（補助錠２Ｂ）が設置されていることを連想させるものであり、実際の施解錠の機能は有していない。すなわち、ダミーシリンダ２００は、主錠２Ａだけでなく補助錠２Ｂが設置されていることを連想させる。また、ダミーシリンダ２００には、図１９に示すように、ＩＣ（Integrated  Circuit）タグなどを所持する手が描かれた描画２０１を施し、このダミーシリンダ２００にＩＣタグなどを近づけることによって、非接触で電気的に施解錠操作を行うことを連想させるようにしてもよい。
【０１３６】
このように、実施の形態１の変形例では、出入口扉４に描画２０１を施したダミーシリンダ２００を設けることで、外部から侵入しようとする不正侵入者に、出入口扉４には二つ目の錠前機構である補助錠２Ｂが設置されていることを視覚的に連想させることができる。従って、二つ目の錠前機構である電気錠を連想させる補助錠２Ｂの設置により、不正解錠が困難であることに加え居住者の防犯意識が高いことを不正侵入者に感じさせて犯意を失わせ犯行に及ぶことに至らなくさせるよう促すことができる。
【図面の簡単な説明】
【０１３７】
【図１】実施の形態１にかかる錠前装置を設置した出入口扉の全体を示す図である。
【図２】実施の形態１にかかる錠前装置の構成を示す説明図である。
【図３】実施の形態１にかかる錠前装置の詳細を示す説明図である。
【図４−１】主錠２Ａのスライダーの正面図である。
【図４−２】図４−１におけるＶ１側から見たスライダーの側面図である。
【図５−１】主錠２Ａのロッキングレバーの正面図である。
【図５−２】図５−１におけるＶ２側から見た主錠２Ａのロッキングレバーの側面図である。
【図５−３】主錠２Ａのロッキングレバーの上面図である。
【図５−４】主錠２Ａのロッキングレバーの底面図である。
【図６】主錠２Ａのコネクティングレバーの正面図である。
【図７−１】補助錠２Ｂのロッキングレバーの正面図である。
【図７−２】図７−１におけるＶ３側から見た補助錠２Ｂのロッキングレバーの側面図である。
【図７−３】補助錠２Ｂのロッキングレバーの上面図である。
【図７−４】補助錠２Ｂのロッキングレバーの底面図である。
【図８】補助錠２Ｂのコネクティングレバーの正面図である。
【図９】図３に示す錠前装置においてハンドル部が操作された場合を示す図である。
【図１０】空締まり施錠状態の主錠２Ａと施錠可能状態の補助錠２Ｂとを備えた錠前装置を示す図である。
【図１１】図１０に示す錠前装置においてハンドル部が操作された場合を示す図である。
【図１２】本締まり施錠状態の主錠２Ａと解錠状態の補助錠２Ｂとを備えた錠前装置を示す図である。
【図１３】空締まり施錠状態の主錠２Ａと解錠状態の補助錠２Ｂとを備えた錠前装置を示す図である。
【図１４】図１３に示す錠前装置においてハンドル部が操作された場合を示す図である。
【図１５】空締まり施錠状態の主錠２Ａと解錠状態の補助錠２Ｂとを備えた錠前装置を示す図である。
【図１６】図１５に示す錠前装置においてハンドル部が操作された場合を示す図である。
【図１７】主錠２Ａと補助錠２Ｂによる施解錠の可否を示す図である。
【図１８】実施の形態１の変形例にかかる補助錠と主錠とを設置した出入口扉の全体を示す図である。
【図１９】ダミーシリンダの拡大図である。
【符号の説明】
【０１３８】
１００  錠前装置
１  フロント
２  錠前機構
２Ａ  主錠
２Ｂ  補助錠
４  出入口扉
１０  デッドロッキングラッチボルト
１１  軸部
１２  先端部
１３  ストッパー
１４  鉄心
１５  バネ
３０  手動操作部
３０ａ  シリンダ
３１  サムターンハブ
４０  スライダー
４１  孔部
４２ａ、４２ｂ  傾斜部
４２  切欠き部
４３  掛止部
４４、４５  部位
５０  ロッキングレバー
５１  突起部
５２  支点
５３  連結部
５４  突起部
６０  コネクティングレバー
６１  連結部
６３  係合部
７０  ハンドル部
７０ａ  レバーハンドル
７１，７３  ハンドル受け部材
７２  レバーハンドル孔
８０  ラッチホールド
８１  支点
８２  突起
８３  係止部
８５  トリガーヘッド
８６  コ字状部材
８７  端部
９０  ソレノイド
９１  ソレノイド本体
９２  鉄心
１１０  デッドボルト
１１１  軸部
１１２  先端部
１１３  ストッパー
１１４  鉄心
１１５  バネ
１５０  ロッキングレバー
１５２  支点
１５３  連結部
１５４  突起部
１６０  コネクティングレバー
１６１  連結部
１６３  係合部
１９０  ソレノイド
１９１  ソレノイド本体
１９２  鉄心
２００  ダミーシリンダ
２０１  描画
５００  警備装置
５０１，５０２  操作部
５１０，５１１  制御部
５２０，５２１  外部給電部
【図１】
0005258250.tif 000002
【図２】
0005258250.tif 000003
【図３】
0005258250.tif 000004
【図４−１】
0005258250.tif 000005
【図４−２】
0005258250.tif 000006
【図５−１】
0005258250.tif 000007
【図５−２】
0005258250.tif 000008
【図５−３】
0005258250.tif 000009
【図５−４】
0005258250.tif 000010
【図６】
0005258250.tif 000011
【図７−１】
0005258250.tif 000012
【図７−２】
0005258250.tif 000013
【図７−３】
0005258250.tif 000014
【図７−４】
0005258250.tif 000015
【図８】
0005258250.tif 000016
【図９】
0005258250.tif 000017
【図１０】
0005258250.tif 000018
【図１１】
0005258250.tif 000019
【図１２】
0005258250.tif 000020
【図１３】
0005258250.tif 000021
【図１４】
0005258250.tif 000022
【図１５】
0005258250.tif 000023
【図１６】
0005258250.tif 000024
【図１７】
0005258250.tif 000025
【図１８】
0005258250.tif 000026
【図１９】
0005258250.tif 000027